(57)【要約】【課題】テレビ放送は地上アナログ放送から地上デジタル放送へと徐々に移管され、将来的にはすべて地上デジタル放送に切り換わる。過渡期では地上アナログ放送が主流であるが、地上デジタル放送に全面的に切り換えられると、浴室テレビ１を取り替えなければならない。【解決手段】アナログ放送専用の浴室テレビ１に外部チューナモードを付加しておき、この外部チューナモードではＲＦコンバータでアナログ信号に変換された信号をアンテナ端子から入力して浴室テレビ２で地上デジタル放送を鑑賞できるようにする。そのさい、チャンネルスイッチ２３が操作されると、その信号は信号変換部２４ｃで変換され、信号線２５を介してデジタルチューナに伝達されるようにした。これによりチャンネルスイッチ２３でデジタルチューナのチャンネルを直接変更できるようにした。【選択図】  図２
2006304099.tif 000002
【特許請求の範囲】
【請求項１】
浴室に取り付けられるテレビ装置であって、チューナを有すると共にこのチューナの選局を行うチャンネルスイッチが設けられたものにおいて、外部チューナモードに切り換える切換手段を有し、外部チューナモードに切り換えられると、チューナの選局を１または２チャンネルに強制的に固定すると共に、チャンネルスイッチの操作に対応した選局データを生成し、その選局データを外部に出力することを特徴とするテレビ装置。
【請求項２】
赤外線式のリモコンから射出される赤外線を受光し、赤外線に重畳されている信号を分離する受光部を備えると共に、この受光部で分離された信号を外部に出力することを特徴とする請求項１記載のテレビ装置。
【請求項３】
複数のメーカに対応した選局データが予め格納されており、所望のメーカに対応した選局データを選択可能に構成したことを特徴とする請求項１または請求項２に記載のテレビ装置。
【発明の詳細な説明】
【技術分野】
【０００１】
本発明は、浴室の壁面に固定されるテレビ装置であって、特にアナログ放送のみを受信するテレビ装置に関する。
【背景技術】
【０００２】
浴室にテレビ装置を設け、入浴しながらテレビ放送を鑑賞するようにしたものが知られている（例えば、特許文献１参照）。特許文献１に記載されたものでは、内部にチューナを備えており、テレビ装置の前面に設けたチャンネルスイッチを操作することにより選局を行い、所望するチャンネルを選択できるように構成されている。
【０００３】
一方、このようなテレビ装置は地上アナログ放送専用のものであったが、地上デジタル放送が平成１５年から開始され平成１８年には全国に拡がり、更に平成２３年には地上アナログ放送が廃止される予定である。このように、平成２３年までは地上アナログ放送と地上デジタル放送とが併存する状態になる。
【特許文献１】特開２００４−２０７８０１号公報（図１）
【発明の開示】
【発明が解決しようとする課題】
【０００４】
地上デジタル放送が開始された当初は地上デジタル放送によって提供される番組数が少なく、また地上デジタル放送を受信できるテレビ装置が高価であるため、地上デジタル放送が受信可能なテレビ装置を浴室に取り付けるというニーズは低い。そのため上記公報に記載されたような従来の浴室用のテレビ装置は、地上アナログ放送しか受信することができない。
【０００５】
ところが、上述のように地上デジタル放送が広く展開され、最終的に地上アナログ放送が廃止されると、従来の地上アナログ放送しか受信できないテレビ装置は使用することができなくなる。この場合、テレビ装置そのものを地上デジタル放送に対応したものと交換することも考えられるが、不経済である。
【０００６】
このような場合、地上デジタル放送を受信できるデジタルチューナを浴室外に設置し、デジタルチューナで受信したテレビ画像やテレビ音声をＲＦコンバータでアナログ信号に変換して、既存のテレビ装置のアンテナ信号入力端子に入力させれば、地上アナログ放送専用のテレビ装置で地上デジタル放送を鑑賞することができる。
【０００７】
但し、地上デジタル放送のチャンネルの切換はデジタルチューナに対して行わなければならないので、浴室で操作された選局内容を何らかの手段を用いて浴室外のデジタルチューナに伝達しなければならない。
【０００８】
そこで本発明は、上記の問題点に鑑み、テレビ装置の他に浴室内に増設することなくデジタルチューナの選局をすることのできるテレビ装置を提供することを課題とする。
【課題を解決するための手段】
【０００９】
上記課題を解決するために本発明によるテレビ装置は、浴室に取り付けられるテレビ装置であって、チューナを有すると共にこのチューナの選局を行うチャンネルスイッチが設けられたものにおいて、外部チューナモードに切り換える切換手段を有し、外部チューナモードに切り換えられると、チューナの選局を１または２チャンネルに強制的に固定すると共に、チャンネルスイッチの操作に対応した選局データを生成し、その選局データを外部に出力することを特徴とする。
【００１０】
地上デジタル放送を受信する場合には切換手段によって外部チューナモードに切り換える。すると、テレビ装置側のチャンネルが１また２に自動的に切り換わり固定される。これによりＲＦコンバータから出力されるアナログ信号を受信できる状態になる。次にテレビ装置に設けられているチャンネルスイッチを操作すると、テレビ装置のチューナは１または２チャンネルのまま変わらず、代わりに選局データがテレビ装置から外部に出力される。この外部に出力された信号を赤外線に重畳させて射出する発光部を設ければ、発光部からの赤外線でデジタルチューナのチャンネルを切り換えることができる。
【００１１】
なお、デジタルチューナのチャンネル切換をテレビ装置本体のチャンネルスイッチの他、リモコンで行いたい場合には、赤外線式のリモコンから射出される赤外線を受光し、赤外線に重畳されている信号を分離する受光部を備えると共に、この受光部で分離された信号を外部に出力するように構成すればよい。
【００１２】
ところで、複数のメーカに対応した選局データが予め格納されており、所望のメーカに対応した選局データを選択可能に構成することが望ましい。
【発明の効果】
【００１３】
以上の説明から明らかなように、本発明は、地上アナログ放送専用のテレビ装置であっても、デジタルチューナを追加するだけで地上デジタル放送を鑑賞することができ、テレビ装置を地上デジタル放送に対応の新しいものと交換して廃棄するという無駄を生じない。
【発明を実施するための最良の形態】
【００１４】
図１を参照して、１は浴室であり、浴室１の壁面には浴室テレビ２が取り付けられている。この浴室テレビ２は赤外線式のリモコン２１によって操作される。また、浴室テレビ２の前面には各種の操作スイッチが設けられており、それらの操作スイッチを操作することにより浴室テレビ２の操作を行うことができる。
【００１５】
図２を参照して、リモコン２１から射出された赤外線は浴室テレビ２に内蔵されている受光部２２に受光される。この受光部２２は受光した赤外線に重畳されている信号を電気信号に変換するものである。そして、変換された電気信号は制御部２４に設けられたデータ変換部２４ｂに入力される。このデータ変換部２４ｂでは受光部２２からの信号を解析して、例えば入力された信号がチャンネル変更であれば、ＣＰＵ２４ａに対してチャンネル変更信号を出力する。すると、ＣＰＵ２４ａは内蔵されているチューナ（図示せず）のチャンネルを変更する作動を行う。なお、受光部２２から出力される信号はデータ変換部２４ｂの他、信号線２５を介して外部に出力される。
【００１６】
一方、各種スイッチを操作すると操作信号は制御部のＣＰＵ２４ａに入力される。２３はこれら操作スイッチのうちのチャンネルスイッチであり、このチャンネルスイッチ２３を操作することによりチャンネル変更の信号がＣＰＵ２４ａに入力され、上記と同様にチャンネルが変更される。
【００１７】
この浴室テレビ２は地上アナログ放送専用のものであり、チャンネルスイッチ２３によって選択されるチャンネルは地上アナログ放送のチャンネルである。但し、この浴室テレビ２には適宜の操作により選択できる外部チューナモードを備えている。この外部チューナモードに切り換える方法として、例えば電源スイッチ（図示せず）を所定時間押し続ける方法や、電源スイッチやチャンネルスイッチの同時押しといった方法で切り換えることができるようにプログラムしておく。
【００１８】
外部チューナモードに切り換えられると、ＣＰＵ２４ａはデータ変換部２４ｂやチャンネルスイッチ２３から入力される信号にかかわらず、チューナのチャンネルを１または２に固定する。そしてこの外部チューナモードに切り換えられた状態でチャンネルスイッチ２３が操作されると、ＣＰＵ２４ａは信号変換部２４ｃにチャンネル変更指令を出力する。
【００１９】
信号変換部２４ｃはチャンネル変更指令を信号に変換し信号線２５から外部に出力する。ところで、この信号変換部２４ｃには各メーカで採用されているコードが予め記憶されており、それらのコードの中から選択されたコードに一致する信号を信号線２５から外部に出力するように構成されている。
【００２０】
図１に戻り、この信号線２５は浴室１の外部で２系統に分岐され、各々の先端に発光部２６，２７を接続した。これら発光部２６，２７は共に信号線２５から入力される信号を赤外線に重畳させて射出するものである。したがって、浴室１内でリモコン２１に限らず、いずれかの赤外線式のリモコンを操作すると、そのリモコンから射出された赤外線と同じ信号が重畳された赤外線が両発光部２６，２７から同時に射出されることになる。また、浴室テレビ２が外部チューナモードに切り換えられている状態でチャンネルスイッチ２３が操作されると、チャンネル変更用の信号が重畳された赤外線が射出される。
【００２１】
一方の発光部２６はデジタルチューナ３の受光部（図示せず）に対向させた。このデジタルチューナ３は赤外線式のリモコンによって操作されるものであり、したがって、デジタルチューナ３用のリモコンから射出される赤外線と同じ信号が重畳された赤外線を、発光部２６から射出すれば、デジタルチューナ３の操作を行うことができる。そして、上記信号変換部２４ｃのコードはこのデジタルチューナが採用しているコードに一致させた。したがって、外部チューナモードでチャンネルスイッチ２３が操作されると、浴室テレビ２ではなく、このデジタルチューナ３のチャンネルが変更される。
【００２２】
このデジタルチューナ３はデジタル放送用のデジタル信号を受信して画像信号と音声信号とを生成したあと、それら両信号を浴室テレビ２のアンテナ信号入力端子に入力可能な信号に変換するＲＦコンバータ３１を備えている。
【００２３】
一方、浴室テレビ２は地上アナログ放送の電波が入力されるアンテナ信号入力端子を備えており、そのアンテナ信号入力端子から入力されるアナログ放送信号を再生して画像を表示し、またテレビ音声を発音するものである。したがって、外部チューナモードに切り換えられていると、浴室テレビ２のチャンネルは１または２に固定されているので、ＲＦコンバータ３１からのアナログ信号が浴室テレビ２のアンテナ信号入力端子に入力されると、地上デジタル放送の画像及び音声が浴室テレビ２で再生される。
【００２４】
なお、チャンネルの変更は上述のようにチャンネルスイッチ２３を操作することによってデジタルチューナ３のチャンネルが変更されるが、それ以外の操作スイッチ、例えば音量スイッチが操作されると、音量スイッチからの信号が浴室テレビ２のＣＰＵ２４ａに入力され、ＣＰＵ２４ａが浴室テレビ２自体の音量を増減させる。
【００２５】
４はオーディオ装置であり、図外の音楽ＣＤを再生し、あるいはラジオ放送を受信するものである。このオーディオ装置４からは音声信号が出力され、浴室１の天井に取り付けられたスピーカ４１によって再生される。このオーディオ装置４もデジタルチューナ３と同様に赤外線式のリモコンによって操作されるものである。そのため、浴室１内でオーディオ装置４用のリモコンを操作すると、発光部２７から赤外線が射出され、オーディオ装置４の制御を行うことができる。なお、本実施の形態では、オーディオ装置４の外部入力端子にコード３２を介してデジタルチューナ３からの音声信号を入力した。
【００２６】
上記構成によれば、浴室テレビ２の他にデジタルチューナ３及びオーディオ装置４用のリモコンを浴室１内に持ち込むことにより、別途の受光部を浴室１内に増設することなく浴室１内からデジタルチューナ３及びオーディオ装置４の操作を行うことができる。
【００２７】
したがって、メーカが異なる外部の機器であっても機器を簡単に増設することができる。また、浴室テレビ２とデジタルチューナ３やオーディオ装置４等の機器のメーカを統一し制御コードを共通化すれば、１台のリモコンで浴室テレビ２の他、他の機器の制御を行うことができる。なお、１台のリモコンで操作をする場合には、浴室テレビ２及び他の機器を個別に制御してもよいが、例えばオーディオ装置４を作動させる操作を行うと自動的に浴室テレビ２の音声が消音されるように、浴室テレビ２と他の機器の作動とを連動させることができる。
【００２８】
また、外部の機器と同一メーカであれば、発光部２６，２７を省略して信号線２５をデジタルチューナ３やオーディオ装置４に対してコネクタを介して直接接続するように構成してもよい。
【００２９】
なお、本発明は上記した形態に限定されるものではなく、本発明の要旨を逸脱しない範囲内において種々の変更を加えてもかまわない。
【図面の簡単な説明】
【００３０】
【図１】本発明の一実施の形態の構成を示す図
【図２】浴室テレビ内の構成を示すブロック図
【符号の説明】
【００３１】
１  浴室
２  浴室テレビ
３  デジタルチューナ
４  オーディオ装置
２１  リモコン
【図１】
2006304099.tif 000003
【図２】
2006304099.tif 000004